(57)【特許請求の範囲】
【請求項１】
燃焼装置に設けたコントローラと複数のリモコンとの間でのデータ通信と、前記リモコン間のインターホンによる通話とを同一回線で行うと共に、前記データ通信をポーリングセレクション方式で行い、前記コントローラは、前記インターホンによる通話中にはポーリング停止制限タイマーで設定された時間前記データ通信を停止させ、前記通話中に前記リモコンからスイッチ情報を受信した場合には、一時的に前記データ通信を行う遠隔制御装置であって、
前記コントローラは、前記データ通信の停止中に前記リモコンからの前記スイッチ情報以外の信号入力を確認すると、前記ポーリング停止制限タイマーの設定時間を短縮する一方、
前記リモコンに、前記インターホンによる通話の開始と共にスタートし、且つ前記ポーリング停止制限タイマーよりも設定時間の長いリモコン側ポーリング停止制限タイマーを設定して、前記リモコン側ポーリング停止制限タイマーがカウントアップした際には、前記リモコンから前記コントローラへ前記データ通信の再開要求を送信することを特徴とする遠隔制御装置。
【発明の詳細な説明】
【０００１】
【発明の属する技術分野】
本発明は、複数のリモートコントローラ（本発明では「リモコン」と略称する）を備えた給湯器等に使用する遠隔制御装置に関する。
【０００２】
【従来の技術】
例えば給湯器付風呂装置では、給湯器に備えたコントローラを、台所や浴室等に設置した複数のリモコンと接続し、リモコンの操作によりコントローラを遠隔制御可能とする遠隔制御装置が構成されている。
又、このような遠隔制御装置においては、例えば浴室の内外で通話可能としてユーザーの使い勝手を向上させるために、リモコンにインターホン機能が付与されたものが知られている。
【０００３】
【発明が解決しようとする課題】
上記インターホン機能を付与した遠隔制御装置においては、給湯制御に必要なコントローラと各リモコンとの間の通信信号の送受信と、インターホンに必要なリモコン間の音声信号の送受信とを両立させるために、夫々データ通信用とインターホン用とで個別の回線を使用して互いの干渉を防ぐ必要がある。しかし、このために通信回路が複雑化し、装置の大型化やコストアップを招いてしまう。
【０００４】
そこで、請求項１に記載の発明は、同一回線で互いの干渉なくデータ通信とインターホンとを両立可能として、回路の簡略化とコストダウンとを達成できる遠隔制御装置を提供することを目的としたものである。
【０００５】
【課題を解決するための手段】
上記目的を達成するために、請求項１に記載の発明は、燃焼装置に設けたコントローラと複数のリモコンとの間でのデータ通信と、前記リモコン間のインターホンによる通話とを同一回線で行うと共に、前記データ通信をポーリングセレクション方式で行い、前記コントローラは、前記インターホンによる通話中にはポーリング停止制限タイマーで設定された時間前記データ通信を停止させ、前記通話中に前記リモコンからスイッチ情報を受信した場合には、一時的に前記データ通信を行う遠隔制御装置であって、
前記コントローラは、前記データ通信の停止中に前記リモコンからの前記スイッチ情報以外の信号入力を確認すると、前記ポーリング停止制限タイマーの設定時間を短縮する一方、前記リモコンに、前記インターホンによる通話の開始と共にスタートし、且つ前記ポーリング停止制限タイマーよりも設定時間の長いリモコン側ポーリング停止制限タイマーを設定して、前記リモコン側ポーリング停止制限タイマーがカウントアップした際には、前記リモコンから前記コントローラへ前記データ通信の再開要求を送信することを特徴とするものである。
【０００６】
【発明の実施の形態】
以下、本発明の実施の形態を図面に基づいて説明する。
図１は、給湯器付風呂装置（以下「風呂装置」という）に適用した遠隔制御装置の概略構成図である。１は、風呂装置のコントローラで、マイコン２は、風呂装置に備えられた図示しないバーナを燃焼させ、台所や浴槽等へ湯水を供給する給湯制御や浴槽の湯水を循環させて加熱する追い焚き制御等を実行する。３は、後述するリモコンＲ１〜Ｒ３とのデータ通信を行うデータ通信部で、ここには、マイコン２から送出される送信シリアルデータで２００ｋＨｚの搬送波（通信キャリア）をデジタルの振幅偏移変調して送出するキャリア発生回路４と、リモコンＲ１〜Ｒ３から送出された通信キャリアを検出し、これを受信シリアルデータに変換してマイコン２に供給するキャリア検出回路５とを有している。６は電源回路である。
又、Ｒ１〜Ｒ３はリモコンで、Ｒ１、Ｒ２は台所等の浴室外に、Ｒ３は浴室内に夫々設置されて、２本の伝送ライン７，８によって夫々コントローラ１と接続されている。リモコン内の構成をリモコンＲ１で説明すると、リモコンＲ１には、マイコン９と、制御データの送受信を行うデータ通信部１０と、音声信号の送信を行うインターホン送信回路１３と、音声信号の受信を行うインターホン受信回路１７とが夫々設けられている。２１は出湯温度の設定等を行う操作スイッチ、２２は通話時に押し操作するインターホンスイッチ、２３はブザー発生回路、２４は設定温度等の表示回路、２５は、コントローラ１から伝送ライン７，８を介して供給される電源からリモコン動作用の定電圧電源を作成する電源回路である。
【０００７】
リモコンＲ１におけるデータ通信部１０も、コントローラ１のデータ通信部３と同様に、マイコン９から送出される送信シリアルデータで２００ｋＨｚの搬送波（通信キャリア）をデジタルの振幅偏移変調して送出するキャリア発生回路１１と、コントローラ１又は他のリモコンから送出された通信キャリアを検出し、これを受信シリアルデータに変換してマイコン９に送出するキャリア検出回路１２とを有している。
一方、各リモコン間の音声の送受信は、アナログ変調方式のうち、周波数変調（Frequency Modulation：ＦＭ）方式が採用されている。即ち、インターホン送信回路１３においては、マイク１４から得られる音声信号をアンプ１５で増幅し、これをＦＭ変調回路１６で１３０ｋＨｚの搬送波（音声キャリア）をＦＭ変調して送出し、インターホン受信回路１７においては、他のリモコンから送出される音声キャリアをＦＭ復調回路１８で音声信号に復調し、これをアンプ１９で増幅してスピーカ２０で音声に変換するものである。
【０００８】
よって、例えば操作スイッチ２１が操作されると、その操作信号を得たマイコン９がその操作データをデータ通信部１０へ送出し、データ通信部１０は、キャリア発生回路１１から通信キャリアを送出する。コントローラ１では、この通信キャリアをデータ通信部３のキャリア検出回路５で検出し、マイコン２が操作データを得るため、マイコン２はその操作データに従ってバーナのガス比例弁の開度等を制御する。これは他のリモコンで操作された場合も同じである。
逆に、給湯器側で運転状態が変化した場合は、コントローラ１側のマイコン２が制御データをキャリア発生回路４を介して通信キャリアとして送出するため、各リモコンＲ１〜Ｒ３では、キャリア検出回路１２を介してマイコン９が制御データを受け取り、表示回路２４で表示させることになる。
【０００９】
一方、リモコン間で通話を行う場合、例えばリモコンＲ１側でインターホンスイッチ２２をＯＮしてマイク１４に向かって話すと、マイク１４からの音声信号がアンプ１５で増幅され、ＦＭ変調回路１６で音声キャリアに変調されて例えばリモコンＲ３側へ送出される。リモコンＲ３では、音声キャリアをＦＭ復調回路１８で音声信号に復調し、更にアンプ１９で増幅してスピーカ２０から音声として出力する。これはリモコンＲ３側が送話、リモコンＲ１側が受話の場合も同じである。
又、ここでは、各リモコンにおいて操作スイッチ２１の操作を行えば、コントローラ１がそのリモコンのブザー発生回路２３を動作させてブザー音を発生させ、操作が有効であることを報知させるようになっている。
【００１０】
そして、上記遠隔制御装置においては、コントローラ１と各リモコンＲ１〜Ｒ３との間のデータ通信は、ポーリングセレクション方式が採用されている。以下、このポーリングセレクション方式によるデータ通信について詳細に説明する。図２は、データ通信の通信手順を示すタイムチャートで、Ｃはコントローラ１、Ｒ１，Ｒ２，Ｒ３はリモコンである。ここでＢＳＩ及びＢＱは、コントローラ１から各リモコンＲ１〜Ｒ３へ送られる送信データで、ＢＳＩは表示ブザー情報の送信及びアドレス部で指定するリモコンに対して応答要求を行うもの、ＢＱはアドレス部で指定するリモコンに対して応答要求を行うものである。又、ＲＳＩ及びＲＰは、コントローラ１からのＢＳＩ又はＢＱに対して各リモコンＲ１〜Ｒ３がコントローラ１へ返送する送信データで、ＲＳＩは各リモコンのスイッチ情報（接続中で操作スイッチ２１がＯＮ状態であること）を、ＲＰは各リモコンの接続応答（接続中で操作スイッチ２１がＯＦＦ状態であること）を夫々応答するものである。
【００１１】
この通信手順をまずコントローラ１の通信フローチャート（図８〜１０）と合わせて説明する。尚、図２には図８〜１０に対応する処理のステップ番号を付している。まずＳ１で初期設定を行うと、Ｓ２でＢＳＩの送信待ちタイマー（フローチャートにおいてタイマーは「Ｔ」と略記する）をスタートさせ、Ｓ３の判別で送信待ちタイマーがタイムアップすると、Ｓ４で、ポーリングアドレス（フローチャートにおいてポーリングは「Ｐ」と略記する）を１としてリモコンＲ１に対してＢＳＩ（応答要求）を、全リモコンＲ１〜Ｒ３に対してＢＳＩ（運転情報）を夫々送信すると共に、応答待ちタイマーをスタートさせる。次のＳ５の判別でリモコンＲ１からの応答がないまま応答待ちタイマーがタイムアップすれば、Ｓ６でリモコンＲ１の受信エラーとなり、これがＮ回連続すると、接続リセットとなって接続フラグをＯＦＦし、Ｓ１６へ移る。この場合、スイッチ情報とインターホン情報（フローチャートにおいてインターホンは「Ｉ」と略記する）とは共に不確定となる。一方、Ｓ５のタイムアップ前にＳ７でリモコンＲ１のＲＰ応答を受信すれば、Ｓ８でリモコンＲ１の接続ありとしてＳ１６へ移る。この場合、リモコンＲ１のスイッチは操作されておらず、インターホンも使用されていないので、スイッチ情報とインターホン情報とは共にＯＦＦとなる。
【００１２】
そして、Ｓ７でリモコンＲ１のＲＰ応答を受信せず、Ｓ９の判別でＲＳＩ応答を受信した場合は、Ｓ１０でリモコンＲ１の接続ありとして接続フラグをＯＮする。次に、Ｓ１１の判別でリモコンＲ１からインターホン送話モードを示すデータＯＥＨを得れば、Ｓ１２でインターホン情報を送話にしてＳ１６へ移り、送話でなく受話モードを示すデータＯＦＨを得れば（Ｓ１３）、Ｓ１４でインターホン情報を受話にしてＳ１６へ移る。尚、インターホンが使用されていなければ、Ｓ１５でインターホン情報不確定としてＳ１６へ移る。
【００１３】
Ｓ１６では、ポーリングアドレスが３（リモコンＲ３）か否かが判別される。ここでアドレスが３でなければ、Ｓ１７で送信待ちタイマーがスタートし、Ｓ１８のタイムアップ確認後、Ｓ１９でポーリングアドレスを１つ増やしてＢＱ（応答要求）を送信し、応答待ちタイマーをスタートさせる。後はＳ５から同じ処理が繰り返され、Ｓ１６の判別でポーリングアドレスが３になると、Ｓ２０で送信待ちタイマーをスタートさせ、Ｓ２１の判別でインターホンが成立していなければＳ３から再びポーリングアドレス１としてリモコンＲ１からポーリングを行う。
このように上記遠隔制御装置では、各リモコンＲ１〜Ｒ３に対して順にコマンドを送信し、各リモコンから応答を吸い上げるポーリングセレクション方式によるデータ通信が実行され、このポーリング周期が１８０〜２００ｍｓで繰り返される。図２における周期１は各リモコンＲ１〜Ｒ３において操作スイッチ２１が操作されていない場合（各リモコンはＲＰを返送する）、周期２はリモコンＲ１において操作スイッチ２１が操作された場合（リモコンＲ１のみがＲＳＩを返送する）を示している。
【００１４】
次に、リモコン側の通信フローチャートを説明する。図１１に示すように、Ｓ５１で初期設定後、Ｓ５２でコントローラ１からのポーリングの有無を監視する通信断監視タイマーをスタートさせ、Ｓ５３ではインターホン通話出力禁止タイマーをスタートさせて音声キャリアの送信やスピーカへの電源供給を禁止する。これでコントローラ１からのポーリング待ち状態となる。
この待ち状態で、コントローラ１からのＢＳＩ（Ｓ５４）、ＢＱ（Ｓ５５）、他のリモコンからのＲＳＩ（Ｓ５６）、ＲＰ（Ｓ５７）を受信すると、夫々後述する処理がなされるが、これらの受信がないままＳ５８で通信断監視タイマーがタイムアップし、Ｓ５９の判別でインターホン中でもなければ、故障等のトラブル発生として、Ｓ６０でコントローラ１へ通信開始マーク００コード送信を行い、Ｓ６１で通信断の処理を行ってリセットし、Ｓ５１の初期設定から再スタートする。
【００１５】
一方、Ｓ５４においてコントローラ１からＢＳＩを受信すると、Ｓ６２で通信断監視タイマーが再スタートし、Ｓ６３でＢＳＩに基づき表示ブザー情報を更新する。次にＳ６４の判別で自局の接続フラグがＯＦＦであれば、Ｓ６１で通信断の処理がなされてＳ５１から再スタートするが、接続フラグがＯＮで、Ｓ６５でポーリングアドレスが０（停止）以外であれば、Ｓ６６でポーリングアドレスが自局宛か否かが判別される。自局宛でなければ、そのままＳ５３へ戻ってポーリング待ちとなるが、自局宛であれば、Ｓ６７で送信待ちタイマーをスタートさせる。
図１２において、Ｓ６８で送信待ちタイマーがタイムアップし、Ｓ６９で操作スイッチ２１のＯＮが確認されると、Ｓ７０でスイッチ情報の送信データを作成し、Ｓ７１でＲＳＩを送信後、Ｓ５３のポーリング待ちとなる。又、Ｓ６９で操作スイッチ２１がＯＮされなくても、Ｓ７２で自局インターホンモードが送話モードであれば、Ｓ７３でＯＥＨ送話要求の送信データが作成されてＳ７１で返信され、Ｓ７４で受話モードであれば、Ｓ７５でＯＦＨ受話要求の送信データが作成されてＳ７１で返信され、送話モードでも受話モードでもなければ、Ｓ７６でＲＰ応答を送信してＳ５３へ戻る。
【００１６】
次に、ポーリング待ち状態でＳ５５においてＢＱを受信すると、図１３に示すＳ７７でポーリングアドレスが自局宛か否かを判別し、自局宛であれば、Ｓ７８で通信断監視タイマーを、Ｓ７９で送信待ちタイマーを夫々スタートさせて、Ｓ６８からの応答送信処理を行う。ポーリングアドレスが他局宛であれば、Ｓ５３の待ち状態へ戻る。
又、ポーリング待ち状態でＳ５６において他局リモコンのＲＳＩを受信すると、Ｓ８０でそのデータがインターホン送話要求ＯＥＨか否かを判別する。ここでＯＥＨであれば、Ｓ８１でその他局リモコンがインターホン送話要求中であることを記憶してＳ５３へ戻り、ＯＥＨでなく、インターホン受話要求ＯＦＨであれば（Ｓ８２）、Ｓ８３でその他局リモコンがインターホン受話要求中であることを記憶してＳ５３へ戻る。データがＯＥＨでもＯＦＨでもなければ、Ｓ８４でその他局リモコンのインターホン要求不確定を記憶してＳ５３へ戻る。
更に、ポーリング待ち状態でＳ５７において他局リモコンのＲＰを受信すると、Ｓ８５でその他局リモコンのインターホンＯＦＦ要求中を記憶してＳ５３へ戻る。
【００１７】
次に、インターホン通話を行う場合の通信手順を図３と合わせて説明する。
例えばポーリング中にリモコンＲ１のインターホンスイッチ２２が押されてインターホン送話モードとなると、リモコンＲ１はコントローラ１からのポーリングに対してＲＳＩ（送話要求）を応答する（Ｓ７２，７３）。同時にリモコンＲ３はリモコンＲ１の応答を得てインターホン受話モードとなり、コントローラ１からのポーリングに対してＲＳＩ（受話要求）を応答する（Ｓ７４，７５）。尚、リモコンＲ２は送話機能がないため、他のリモコンの送受話が成立した場合にのみ受話応答が可能となっている。
こうしてコントローラ１では、ポーリング中にＳ１１〜１４の処理によってリモコンＲ１が送話、リモコンＲ２、Ｒ３が受話としてインターホン情報が取得されると、Ｓ２１においてインターホンが成立するため、Ｓ２２で送信待ちタイマーがタイムアップすると、Ｓ２３でポーリングアドレスを０にして、Ｓ２４でインターホンモードデータを作成する。これは、どのリモコンが送話かを知らせるデータで、Ｓ２５でこのデータ（ＢＳＩ）を各リモコンへ送信してポーリングを停止し、Ｓ２６でこの運転情報を記憶して、Ｓ２７でポーリング停止制限タイマー（３分）をスタートさせる。尚、Ｓ２１の判別でインターホンが不成立であればＳ３へ戻ってポーリングを再開する。
【００１８】
一方、各リモコンＲ１〜Ｒ３では、Ｓ６５においてポーリングアドレス０のインターホンデータを得ると、Ｓ８６でコントローラ１からのインターホン指示を記憶し、Ｓ８７でインターホン出力禁止タイマーをリセットするため、リモコンＲ１では音声キャリアＯＮ、スピーカＯＦＦ、リモコンＲ３では音声キャリアＯＦＦ、スピーカＯＮとなってリモコンＲ１からＲ３への送話が可能となる。尚、ここではＳ８８において、ポーリング停止制限タイマー（４分）をリモコン側でスタートさせて後述するポーリング停止中の処理へ移るようにしている。このようにリモコン側でタイマーを設けたのは、ポーリングの停止時間が長すぎるとリモコン側でもエラー表示を行うためである。
こうしてインターホンが成立してポーリングが停止すると、図１４におけるＳ８９で通信断監視タイマーが再スタートし、Ｓ９０での受信信号端子のＬｏレベルの判別で他のキャリアが検出されれば、Ｓ９１でインターホン通話出力禁止タイマーがスタートするが、他のキャリアの検出がなく、又Ｓ９２〜９７までの他のデータの受信等もない場合で、Ｓ９８においてポーリング停止制限時間のタイムアップが確認されれば、Ｓ９９で通信開始マーク００コードをコントローラ１に送信してポーリングを再開させ、Ｓ１００で通信断の処理を行ってＳ５１の初期設定へ戻る。
【００１９】
一方、コントローラ１は、図９においてポーリング停止中にポーリング停止制限タイマーがタイムアップするか（Ｓ２８）、又はコントローラ１側での運転情報が変化するか（Ｓ２９）すると、図４にも示す如く、Ｓ３０で通信開始マーク００コードを送信し、Ｓ４からのポーリングを再開する。各リモコンＲ１〜Ｒ３は、通信キャリアの検出によりインターホン通話出力をＯＦＦする（Ｓ５３）。再開したポーリングによって各リモコンの送受話が再び成立すると（Ｓ２１）、同様にＳ２２〜２７の処理が行われてポーリングが停止し、各リモコンはポーリングの停止を検出してインターホン通話出力禁止タイマーをリセットするため（Ｓ８７）、再びインターホンの通話が可能となる。これは、コントローラ１がＲＰ（リモコン接続応答）を受信した場合（Ｓ３１）も同様で、ＲＰを受信すれば、Ｓ３２でリモコンの接続ありとし、Ｓ３３で送信待ちタイマーをスタートさせてＳ３からのポーリングを再開するのである。
【００２０】
又、ＲＰの受信がなくても、図５にも示す如く、通話中に例えばリモコンＲ１の操作スイッチ２１を操作した場合（図１４のＳ９２）、Ｓ１０１でインターホン通話出力禁止タイマーをスタートさせてインターホン出力をＯＦＦし、Ｓ１０２で通信開始マークの００コードとスイッチ情報とを送信して、Ｓ１０３でコントローラ１からの受信待ちタイマーをスタートさせる。尚、他のリモコンも通信キャリアを検出してインターホン出力をＯＦＦする。次に、Ｓ１０４で操作スイッチ２１がＯＮのままであれば、Ｓ１０５で作成したスイッチ情報の送信データをＲＳＩとしてＳ１０６で送信する。こうして操作スイッチ２１がＯＮの間はポーリングが続行される。
そして、操作スイッチ２１がＯＦＦされると、自局インターホンモードが送話であればＯＥＨ送話要求の送信データが送信され（Ｓ１０７，１０８）、自局インターホンモードが受話であればＯＦＨ受話要求の送信データが送信される（Ｓ１０９，１１０）。自局インターホンモードが送話でも受話でもなければＳ１１１でＲＰが送信される。
【００２１】
こうしてＲＳＩ又はＲＰが送信されると、図１５におけるＳ１１２で通信断監視タイマーがスタートし、Ｓ１１３〜１１６までの送信データの受信がなく、Ｓ１１７で受信待ちタイマーがタイムアップすると、Ｓ１０１へ戻ってコントローラ１に対して通信開始要求が行われ、受信待ちタイマーがタイムアップせず、ポーリング停止制限時間がタイムアップすると（Ｓ１１８）、Ｓ１１９で通信断が検出されてＳ５１の初期設定から再開される。尚、Ｓ１１３〜１１６において各送信データを受信した場合は、夫々先述したのと同じ処理が繰り返される。
【００２２】
一方、コントローラ１は、図９におけるＳ３４でＲＳＩを受信すれば、図１０におけるＳ３５でリモコンの接続ありを検出し、Ｓ３６でＲＳＩからインターホン送話データＯＥＨを確認すれば、Ｓ３７でスイッチ情報をＯＦＦとしてＳ３８で送信待ちタイマーをスタートさせてＳ３からのポーリングを再開し、Ｓ３９でインターホン受話データＯＦＨを確認すれば、Ｓ４０でスイッチ情報をＯＦＦとしてＳ４１で送信待ちタイマーをスタートさせ、Ｓ３からのポーリングを再開する。尚、Ｓ３６，３９でインターホンの送話と受話とのデータが共に確認されなければ、Ｓ４２でスイッチ情報をＯＮとしてＳ４３で送信待ちタイマーをスタートさせ、Ｓ３からのポーリングを再開する。よって、データ通信が終了してリモコンＲ１の操作スイッチ２１がＯＦＦになり、全てのリモコンＲ１〜Ｒ３のインターホン送受話が成立すると、ポーリングを停止することになる。
このように、インターホン中に操作スイッチ２１を操作すれば、一時的に再開したポーリングにより通話が停止されることになるが、数百ｍｓの短時間である上、先述の通り、操作スイッチ２１の操作に伴って発生するブザー音がポーリングと重なるため、ユーザーには通話の中断として意識されることはない。
【００２３】
尚、ポーリング停止中において、コントローラ１がＳ３４でＲＳＩを受信しなくても、Ｓ４４においてその他の受信が確認されれば、Ｓ４５でポーリング停止制限タイマーを２秒に短縮してＳ２８からＳ３０を経てポーリングが再開される。ここでタイマーを短縮したのは、複数のリモコンからの同時送信によるデータ化けを想定し、２秒以内にポーリングを開始するようにしたものである。同様に、Ｓ４４でのその他の受信がなくても、Ｓ４６で受信信号端子がＬｏレベル、即ち何らかのキャリアが確認されれば、同様にポーリング停止制限タイマーを２秒に短縮してポーリングが再開されることになる。
【００２４】
一方、インターホン通話中にリモコンＲ１が受話に切り替わる場合は、図６の如く、リモコンＲ１のインターホンスイッチ２２をＯＦＦにすると、インターホン受話モードに切り替わる。すると、自局インターホンモードがコントローラ１からの指示と異なるため（Ｓ９３）、Ｓ１０１以下でリモコンＲ１は音声キャリアをＯＦＦし、Ｓ１０２で通信開始マークの００コードと受話要求とを送信する。同時にリモコンＲ３は通信キャリアを検出してスピーカをＯＦＦすると共に、リモコンＲ１の受話要求を得て送話モードへの切替を行う。こうしてコントローラ１はポーリングを開始するため、全てのリモコンＲ１〜Ｒ３のインターホン送受話が再び成立すると、コントローラ１はポーリングを停止し、新たに送話になるリモコンを指示し、各リモコンＲ１〜Ｒ３はポーリングの停止を検出してインターホン通話出力をＯＮするため、リモコンＲ３からＲ１への通話が可能となる。
【００２５】
そして、インターホンを終了する場合は、図７の如く、リモコンＲ１においてインターホンスイッチ２２をショートクリックすると、インターホンＯＦＦモードとなるため、リモコンＲ１は、音声キャリアをＯＦＦして通信開始マークの００コードとＲＰとを送信する。同時にリモコンＲ３は通信キャリアを検出してスピーカをＯＦＦする。次にリモコンＲ３は、リモコンＲ１の送信したＲＰによりインターホンＯＦＦモードへ切り替わり、コントローラ１はリモコンＲ１からのＲＰによりポーリングを開始する。こうしてリモコンＲ１、Ｒ３からＲＰ応答となると、リモコンＲ２もＲＰ応答に復帰するため、インターホンが終了してポーリングが続行されることとなる。
【００２６】
このように上記形態によれば、コントローラ１と各リモコンＲ１〜Ｒ３との間のデータ通信はポーリングセレクション方式で行い、インターホンが成立すると最大で３分間ポーリングを停止させ、通話中にデータ通信の必要が生じた場合には一時的にデータ通信を行うようにしたことで、同一の回線でもデータ通信と通話とを互いの干渉なく両立させることができ、回路が簡略化してコストアップも抑えられる。特に、データ通信をポーリングセレクション方式としたことで、通話機能のない従来のリモコンでも、ポーリングセレクション方式を採用していれば簡単にインターホン付リモコンとして利用することができる。
【００２７】
尚、上記形態では３つのリモコンＲ１〜Ｒ３を用いた遠隔制御装置を説明しているが、リモコンの数は増減しても本発明の適用には差し支えない。
【００２８】
【発明の効果】
請求項１に記載の発明によれば、データ通信をポーリングセレクション方式で行い、インターホンによる通話中には所定の時間データ通信を停止させ、通話中にデータ通信の必要が生じた場合には、一時的にデータ通信を行うようにしたことで、同一の回線でもデータ通信と通話とを互いの干渉なく両立させることができ、回路が簡略化してコストアップも抑えられる。特に、データ通信をポーリングセレクション方式としたことで、通話機能のない従来のリモコンでも、ポーリングセレクション方式を採用していれば簡単にインターホン付リモコンとして利用することができる。
また、コントローラは、データ通信の停止中にリモコンからのスイッチ情報以外の信号入力を確認すると、ポーリング停止制限タイマーの設定時間を短縮するため、複数のリモコンからの同時送信によるデータ化けがあったような場合に、迅速にデータ通信を再開することができる。
【図面の簡単な説明】
【図１】給湯器付風呂装置の制御系の概略構成図である。
【図２】ポーリングセレクション方式による通信手順のタイムチャートである。
【図３】インターホンが成立する通信手順のタイムチャートである。
【図４】通話中に運転情報が変化した場合の通信手順のタイムチャートである。
【図５】通話中にリモコンで操作スイッチを操作した場合の通信手順のタイムチャートである。
【図６】リモコンの送受話を切り替える場合の通信手順のタイムチャートである。
【図７】インターホンを終了する場合の通信手順のタイムチャートである。
【図８】コントローラ側の通信フローチャートである。
【図９】コントローラ側の通信フローチャートである。
【図１０】コントローラ側の通信フローチャートである。
【図１１】リモコン側の通信フローチャートである。
【図１２】リモコン側の通信フローチャートである。
【図１３】リモコン側の通信フローチャートである。
【図１４】リモコン側の通信フローチャートである（ポーリング停止中）。
【図１５】リモコン側の通信フローチャートである（ポーリング停止中）。
【符号の説明】
１・・コントローラ、２，９・・マイコン、３，１０・・データ通信部、４，１１・・キャリア発生回路、５，１２・・キャリア検出回路、７，８・・伝送ライン、１３・・インターホン送信回路、１７・・インターホン受信回路、２１・・操作スイッチ、２２・・インターホンスイッチ。
【図１】
0004338160.tif 000002
【図２】
0004338160.tif 000003
【図３】
0004338160.tif 000004
【図４】
0004338160.tif 000005
【図５】
0004338160.tif 000006
【図６】
0004338160.tif 000007
【図７】
0004338160.tif 000008
【図８】
0004338160.tif 000009
【図９】
0004338160.tif 000010
【図１０】
0004338160.tif 000011
【図１１】
0004338160.tif 000012
【図１２】
0004338160.tif 000013
【図１３】
0004338160.tif 000014
【図１４】
0004338160.tif 000015
【図１５】
0004338160.tif 000016